(57)【要約】【課題】  釣り用リールのハンドル把手において、外観の美観を高く維持しながら、容易な工程で製造できるようにする。【解決手段】  ハンドル把手２３は、第１把手本体３２ａ及び第２把手本体３２ｂと第１係止部３２ｃ及び第２係止部３２ｄとを有する把手部３４と、２枚のシート状の皮革製部材からなる第１カバー本体３３ａ及び第２カバー本体３３と第１被係止部３３ｃ及び第２被係止部３３ｄと第３被係止部３３ｅ及び第４被係止部３３ｆとを有するカバー部材３３とを有している。ここでは、第１カバー本体３３ａ及び第２カバー本体３３ｂが、第１把手本体３２ａ及び第２把手本体３２ｂの外周面を被覆する。第１被係止部３３ｃ及び第２被係止部３３ｄと、第３被係止部３３ｅ及び第４被係止部３３ｆとは、第１係止部３２ｃ及び第２係止部３２ｄに折れ曲がって係止される。【選択図】      図３
2006304688.tif 000002
【特許請求の範囲】
【請求項１】
釣り用リールのハンドルアームの先端に固定された把手軸に回転自在に装着されるハンドル把手であって、
内周部が前記把手軸の外周側に回転自在に装着され外周面が外方に露出するように前記把手軸を挟んで両側に両端部が連結可能に配置された第１把手本体及び第２把手本体と、前記第１把手本体及び前記第２把手本体の連結部の外周面に沿って形成された第１係止部及び第２係止部とを有する把手部と、
前記第１把手本体及び前記第２把手本体の外周面をそれぞれ被覆するシート状の第１カバー本体及び第２カバー本体と、前記第１カバー本体の両端部に設けられ前記第１係止部及び前記第２係止部にそれぞれ前記把手軸側内方に折れ曲がって係止される第１被係止部及び第２被係止部と、前記第２カバー本体の両端部に設けられ前記第１係止部及び前記第２係止部にそれぞれ前記把手軸側内方に折れ曲がって係止される第３被係止部及び第４被係止部とを有するカバー部材と、
を備えた釣り用リールのハンドル把手。
【請求項２】
前記第１把手本体及び前記第２把手本体は、一体で設けられており、
前記第１係止部及び前記第２係止部は、前記第１把手本体と前記第２把手本体との間の連結部分外周に沿って形成され、前記第１被係止部及び前記第３被係止部と前記第２被係止部及び前記第４被係止部とがそれぞれ嵌入可能に凹んで形成された溝部である、請求項１に記載の釣り用リールのハンドル把手。
【請求項３】
前記第１把手本体及び前記第２把手本体は、別体で設けられており、
前記第１係止部及び前記第２係止部は、前記第１把手本体と前記第２把手本体との間の対向する連結部分内周に設けられ、前記第１被係止部及び前記第３被係止部と前記第２被係止部及び前記第４被係止部とが前記第１把手本体及び前記第２把手本体によってそれぞれ挟持される隙間である、請求項１に記載の釣り用リールのハンドル把手。
【請求項４】
前記第１被係止部及び前記第３被係止部と、前記第２被係止部及び前記第４被係止部とは、前記第１係止部及び前記第２係止部にそれぞれ接着固定されている、請求項１から３のいずれか１項に記載の釣り用リールのハンドル把手。
【請求項５】
前記第１カバー本体及び前記第２カバー本体は、皮革製の部材により形成されている、請求項１から４のいずれか１項に記載の釣り用リールのハンドル把手。
【請求項６】
前記第１カバー本体及び前記第２カバー本体は、弾性樹脂製の部材により形成されている、請求項１から４のいずれか１項に記載の釣り用リールのハンドル把手。
【請求項７】
前記第１カバー本体及び前記第２カバー本体は、前記第１把手本体及び前記第２把手本体の先端面の少なくとも一部をそれぞれ被覆するように形成されている、請求項１から６のいずれか１項に記載の釣り用リールのハンドル把手。
【請求項８】
前記第１把手本体及び前記第２把手本体の先端面に装着され、前記第１把手本体及び前記第２把手本体の先端面に被覆された前記第１カバー本体及び前記第２カバー本体を挟持する蓋部材をさらに備えている、請求項７に記載の釣り用リールのハンドル把手。
【請求項９】
前記釣り用リールは、スピニングリールである、請求項１から８のいずれか１項に記載の釣り用リールのハンドル把手。
【請求項１０】
前記釣り用リールは、両軸受リールである、請求項１から８のいずれか１項に記載の釣り用リールのハンドル把手。
【請求項１１】
前記釣り用リールは、片軸受リールである、請求項１から８のいずれか１項に記載の釣り用リールのハンドル把手。
【発明の詳細な説明】
【技術分野】
【０００１】
本発明は、ハンドル把手、特に、釣り用リールのハンドルアームの先端に固定された把手軸に回転自在に装着されるハンドル把手に関する。
【背景技術】
【０００２】
スピニングリールや、両軸受リール等の釣り用リールのハンドル軸の先端には、ハンドル組立体が固定されている。ハンドル組立体は、ハンドル軸の先端に回転不能に装着されたハンドルアームと、ハンドルアームの先端に回転不能に固定された把手軸と、把手軸に回転自在に装着されたハンドル把手とを有している。このようなハンドル把手は、把手軸に回転自在に支持された金属製の筒状部と、筒状部の外周を覆うように設けられた略柱状の把手部とを有している。
【０００３】
このようなハンドル把手は、滑りにくさや耐久性を維持しながら高級感が得られるようにするために、皮革製のカバー部材によって把手部の外周を覆ったものが知られている（たとえば、特許文献１参照）。このようなカバー部材は、たとえば皮革素材を袋縫いすることによって袋状に形成され、略柱状の把手部の外周に先端側から被せるようにして装着されている。また、カバー部材は、皮革素材の両端部分が糸により縫い合わされた縫い合わせ部を有しており、把手部は、厚みのある縫い合わせ部を嵌め込んでカバー部材の表面側が盛り上がりにくくするための溝部を有している。
【特許文献１】特開２００３−１１２号公報
【発明の開示】
【発明が解決しようとする課題】
【０００４】
前記従来のハンドル把手は、皮革製のカバー部材が装着されているので、滑りにくさや耐久性を維持しながら、高級感を得ることができる。しかし、カバー部材は、皮革素材を袋縫いすることによって袋状に形成されているので、皮革素材の縫製部分が複雑な形状になっている。このように、皮革素材の縫製部分が複雑な形状になると、皮革素材の縫製作業に手間がかかり、ハンドル把手の製造が困難になるおそれがある。
【０００５】
また、皮革素材の縫製作業によっては、カバー部材の縫い合わせ部の厚みが変化することがある。たとえば、カバー部材の縫い合わせ部の厚みが厚くなると、縫い合わせ部の全部を把手部の溝部に嵌め込むことができなくなる。すると、溝部に嵌め込まれない縫い合わせ部の厚みだけカバー部材の表面側が盛り上がってしまうので、外観の美観を損ねるとともに、把持したときに違和感を感じるおそれが生じる。
【０００６】
本発明の課題は、釣り用リールのハンドル把手において、外観の美観を高く維持しながら、容易な工程で製造できるようにすることにある。
【課題を解決するための手段】
【０００７】
発明１に係る釣り用リールのハンドル把手は、釣り用リールのハンドルアームの先端に固定された把手軸に回転自在に装着されるハンドル把手であって、把手部と、カバー部材とを備えている。把手部は、第１把手本体及び第２把手本体と、第１係止部及び第２係止部とを有している。カバー部材は、第１カバー本体及び第２カバー本体と、第１被係止部及び第２被係止部と、第３被係止部及び第４被係止部とを有している。第１把手本体及び第２把手本体は、内周部が把手軸の外周側に回転自在に装着され外周面が外方に露出するように把手軸を挟んで両側に両端部が連結可能に配置されている。第１係止部及び第２係止部は、第１把手本体及び第２把手本体の連結部の外周面に沿って形成されている。第１カバー本体及び第２カバー本体は、第１把手本体及び第２把手本体の外周面をそれぞれ被覆するシート状の部材である。第１被係止部及び第２被係止部は、第１カバー本体の両端部に設けられ、第１係止部及び第２係止部にそれぞれ把手軸側内方に折れ曲がって係止される。第３被係止部及び第４被係止部は、第２カバー本体の両端部に設けられ、第１係止部及び第２係止部にそれぞれ把手軸側内方に折れ曲がって係止される。
【０００８】
このハンドル把手では、２枚のシート状の第１カバー本体及び第２カバー本体が第１把手本体及び第２把手本体の外周面をそれぞれ被覆するようになっている。そして、第１被係止部及び第２被係止部は、第１係止部及び第２係止部にそれぞれ把手軸側内方に折れ曲がって係止され、第３被係止部及び第４被係止部は、第１係止部及び第２係止部にそれぞれ把手軸側内方に折れ曲がって係止される。ここでは、２枚のシート状の第１カバー本体及び第２カバー本体を用いて第１把手本体及び第２把手本体の外周面を被覆しているので、従来のようにカバー部材を縫製する製造工程が不要になるので、容易な工程で製造できる。さらに従来のカバー部材の縫い合わせ部の厚みによって、外観の美観を損ねたり、把持したときに違和感を感じることがなくなる。
【０００９】
また、第１カバー本体及び第２カバー本体は、第１把手本体及び第２把手本体と連結部の外周面に沿って形成された第１係止部及び第２係止部に内方に折れ曲がって係止されるので、第１把手本体及び第２把手本体との係止構造が簡素になるとともに、外観の美観に影響を及ぼしにくくなる。したがって、このような構成によって、外観の美観を高く維持しながら、容易な工程で製造することができる。
【００１０】
発明２に係るハンドル把手は、発明１のハンドル把手において、第１把手本体及び第２把手本体は、一体で設けられている。第１係止部及び第２係止部は、第１把手本体と第２把手本体との間の連結部分外周に沿って形成され、第１被係止部及び第３被係止部と第２被係止部及び第４被係止部とがそれぞれ嵌入可能に凹んで形成された溝部である。この場合、たとえば第１把手本体及び第２把手本体は、一体成形された略円筒状部材であって、第１係止部及び第２係止部は、たとえば把手軸に対して互いに対称となる位置に略平行になるように凹んだ溝部である。ここでは、第１係止部及び第２係止部の形成が容易になる。
【００１１】
発明３に係るハンドル把手は、発明１のハンドル把手において、第１把手本体及び第２把手本体は、別体で設けられている。第１係止部及び第２係止部は、第１把手本体と第２把手本体との間の対向する連結部分内周に設けられ、第１被係止部及び第３被係止部と第２被係止部及び第４被係止部とが第１把手本体及び第２把手本体によってそれぞれ挟持される隙間である。この場合、たとえば第１把手本体及び第２把手本体は、互いに鏡像となる略半円筒状部材であって、第１係止部及び第２係止部は、第１把手本体と第２把手本体との合わせ面に生成される隙間である。ここでは、第１カバー本体及び第２カバー本体は、第１把手本体と第２把手本体とを組み立てる際に第１把手本体及び第２把手本体に挟み込まれて係止されるので、製造工程が簡単になる。
【００１２】
発明４に係るハンドル把手は、発明１から３のいずれかのハンドル把手において、第１被係止部及び第３被係止部と、第２被係止部及び第４被係止部とは、第１係止部及び第２係止部にそれぞれ接着固定されている。この場合、第１カバー本体及び第２カバー本体の第１把手本体及び第２把手本体への固定が確実になる。
【００１３】
発明５に係るハンドル把手は、発明１から４のいずれかのハンドル把手において、第１カバー本体及び第２カバー本体は、皮革製の部材により形成されている。この場合、皮革製の部材によって、外観の美観を向上でき、高級感を演出することができる。
【００１４】
発明６に係るハンドル把手は、発明１から４のいずれかのハンドル把手において、第１カバー本体及び第２カバー本体は、弾性樹脂製の部材により形成されている。この場合、たとえば耐久性及び弾性等バランスが良好な合成ゴムであるクロロプレンゴム等の弾性樹脂製の部材によって、把持したときの触感を向上できる。
【００１５】
発明７に係るハンドル把手は、発明１から６のいずれかのハンドル把手において、第１カバー本体及び第２カバー本体は、第１把手本体及び第２把手本体の先端面の少なくとも一部をそれぞれ被覆するように形成されている。この場合、第１カバー本体及び第２カバー本体は、第１把手本体及び第２把手本体の先端面側にわたって被覆されているので、第１把手本体及び第２把手本体の外周面を全部確実に被覆できる。
【００１６】
発明８に係るハンドル把手は、発明７のハンドル把手において、第１把手本体及び第２把手本体の先端面に装着され、第１把手本体及び第２把手本体の先端面に被覆された第１カバー本体及び第２カバー本体を挟持する蓋部材をさらに備えている。この場合、蓋部材によって、第１カバー本体及び第２カバー本体の固定が容易になる。また、特に、第１把手本体及び第２把手本体が別体で設けられている場合には、蓋部材によって、別体で構成された第１把手本体及び第２把手本体が離合するのを確実に防止できる。
【００１７】
発明９に係るハンドル把手は、発明１から８のいずれかのハンドル把手において、釣り用リールは、スピニングリールである。この場合、スピニングリールのハンドル把手に本発明を適用することにより、外観の美観を高く維持しながら、容易な工程で製造することができる。
【００１８】
発明１０に係るハンドル把手は、発明１から８のいずれかのハンドル把手において、釣り用リールは、両軸受リールである。この場合、両軸受リールのハンドル把手に本発明を適用することにより、外観の美観を高く維持しながら、容易な工程で製造することができる。
【００１９】
発明１１に係るハンドル把手は、発明１から８のいずれかのハンドル把手において、釣り用リールは、片軸受リールである。この場合、片軸受リールのハンドル把手に本発明を適用することにより、外観の美観を高く維持しながら、容易な工程で製造することができる。
【発明の効果】
【００２０】
本発明によれば、釣り用リールのハンドル把手において、第１把手本体及び第２把手本体の外周面は、２枚のシート状の第１カバー本体及び第２カバー本体によって被覆され、第１被係止部及び第２被係止部は、第１係止部及び第２係止部にそれぞれ把手軸側内方に折れ曲がって係止され、第３被係止部及び第４被係止部は、第１係止部及び第２係止部にそれぞれ把手軸側内方に折れ曲がって係止されているので、外観の美観を高く維持しながら、容易な工程で製造することができる。
【発明を実施するための最良の形態】
【００２１】
本発明の一実施形態を採用した両軸受リールは、図１及び図２に示すように、ベイトキャスト用のロープロフィール型のリールである。この両軸受リールは、リール本体１と、リール本体１の側方に配置されたスプール回転用のハンドル組立体２と、リール本体１の内部に回転自在かつ着脱自在に装着された糸巻き用のスプール１２とを備えている。ハンドル組立体２のリール本体１側には、ドラグ調整用のスタードラグ３が設けられている。
【００２２】
リール本体１は、フレーム５と、フレーム５の両側方に装着された第１側カバー６ａ及び第２側カバー６ｂとを有している。また、リール本体１は、フレーム５の前方を覆う前カバー７と、上部を覆うサムレスト８とを有している。フレーム５は、左右に所定の間隔をあけて互いに対向するように配置された１対の第１側板５ａ及び第２側板５ｂと、これらの第１側板５ａ及び第２側板５ｂを連結する図示しない複数の連結部とを有している。フレーム５は、下側の連結部に設けられた図示しない竿装着部により釣竿に装着可能である。
【００２３】
リール本体１の内部には、釣竿と交差する方向に配置されたスプール１２と、スプール１２に釣り糸を均一に巻き取るための図示しないレベルワインド機構と、ハンドル組立体２の回転をスプールに伝達する図示しない回転伝達機構とが配置されている。回転伝達機構には、ハンドル組立体２が先端に装着されたハンドル軸２０と、ハンドル組立体２の回転をスプール１２に伝達、遮断（オン、オフ）する図示しないクラッチ機構と、図示しないドラグ機構とが設けられている。ハンドル軸２０は、リール本体１に第１回転軸Ｘ１回りに回転自在に支持されている。フレーム５の後部には、クラッチ機構をオン、オフ操作するとともに、サミングの当てとなるクラッチレバー１７が揺動自在に装着されている。
【００２４】
ハンドル組立体２は、図２に示すように、ハンドル軸２０の先端に回転不能に装着されたハンドルアーム２１と、ハンドルアーム２１の両端に固定された把手軸２２と、把手軸２２に回転自在かつ軸方向移動不能に装着されたハンドル把手２３とを有している。ハンドルアーム２１は、ハンドル軸２０の先端に回転不能に装着された座金２４と、座金２４に２本のビス２５によりねじ止めされハンドル軸２０の径方向両外方に延びる板状のアーム部２６とを有している。
【００２５】
座金２４は、両端が円形の変形菱形形状、たとえばステンレス合金等の金属製の板状部材である。座金２４は、ハンドル軸２０の先端部周面に平行に形成された面取り部２０ａに係合する小判孔２４ａを中心部に有しており、これによりハンドル軸２０に回転不能に係止される。座金２４は、ハンドル軸２０の先端に装着されたナット部材２７によりハンドル軸２０に固定されている。座金２４の両端は、アーム部２６側に折れ曲がっている。この折れ曲がった両端にビス２５が装着されアーム部２６を取り付けている。このように両端を折り曲げることでビス２５の頭部が外方に向くため、アーム部２６を着脱する際にビス２５を回しやすくなる。
【００２６】
アーム部２６は、リール本体１側の内側面とリール本体１と逆側の外側面とが滑らかな曲線で構成された、たとえばアルミニウム合金等の金属製の板状の部材であり、中心部が両端部より肉厚が厚く膨らんでいる。内側面の中心部には、ナット部材２７を回転不能に係止するための回り止め穴２６ａが形成されている。回り止め穴２６ａの周囲及び長手方向両側には、座金２４を内側面と面一に収納するための収納凹部２６ｂが形成されている。この収納凹部２６ｂの輪郭は、座金２４の外形と略同一である。アーム部２６の外側面両端には、図３及び図４に示すように、リール本体１から離れる方向に突出する円筒状のボス部２６ｃが形成されている。ボス部２６ｃの中心部には、把手軸２２をねじにより固定するための第１ねじ穴２６ｄが形成されている。第１ねじ穴２６ｄは、ハンドル軸２０の第１回転軸Ｘ１と実質的とに平行な第２回転軸Ｘ２に沿って形成されかつボス部２６ｃの軸方向外方側にのみ開口するねじ穴であり、そこにはハンドル組立体２の巻き取り方向の回転と同じ右ねじが形成されている。このため、ボス部２６ｃは袋ナット状に構成され、アーム部２６の内側面には貫通孔や突出部等が形成されない。しかも、ハンドル組立体２を巻き取り方向に回転させても把手軸２２が緩みにくい。
【００２７】
把手軸２２は、図３及び図４に示すように、第１回転軸Ｘ１と平行な第２回転軸Ｘ２に沿って配置された、たとえばステンレス合金等の金属製の軸であり、基端に他の部分より小径の雄ねじ部２２ａが形成され、他端面に第２ねじ穴２２ｂが形成されている。また、雄ねじ部２２ａに隣接して他の部分より大径の工具係止部２２ｃが形成されている。雄ねじ部２２ａは、第１ねじ穴２６ｄに螺合しており、この螺合により把手軸２２がアーム部２６に固定される。工具係止部２２ｃの外周面には、スパナ等の工具を係止可能な平行な面取り部２２ｄが形成されている。把手軸２２の工具係止部２２ｃに隣接した外周部と先端外周部とには、軸受３０ａ、３０ｂが配置されている。この軸受３０ａ、３０ｂによりハンドル把手２３が把手軸２２に回転自在に支持される。軸受３０ｂは、第２ねじ穴２２ｂに装着されたボルト部材２８により軸方向移動不能に装着されている。このボルト部材２８は、軸受３０ｂを介してハンドル把手２３を把手軸２２に対して抜け止めしている。
【００２８】
ハンドル把手２３は、図３から図７に示すように、把手軸２２に回転自在かつ軸方向移動不能に装着される把手部３４と、把手部３４の外周側を覆うように装着された皮革製かつシート状のカバー部材３３とを有している。
【００２９】
把手部３４は、第２回転軸Ｘ２に沿った方向の長さが第２回転軸Ｘ２の径方向に沿った長さより長い扁平棒状の部材である。把手部３４は、把手軸２２に回転自在かつ軸方向移動不能に装着される硬質樹脂製の内側部材３１と、内側部材３１をインサート成形して形成された軟質樹脂製の外側部材３２とを有している。内側部材３１に用いる硬質樹脂としてはポリアセタールやポリアミド樹脂等が好適である。また、外側部材３２に用いる軟質樹脂としては、ウレタンゴムや軟質塩化ビニル（ＰＶＣ）等の弾性体樹脂が好適である。さらにカバー部材３３に用いられる皮革素材としては、牛、豚、馬等の天然皮革に加えて天然皮革に類似した各種の合成皮革等も使用可能である。
【００３０】
内側部材３１は、図３から図７に示すように、把手軸２２の外周側に配置され内部を把手軸２２が貫通する筒状の筒状部３１ａと、筒状部３１ａの前端側（ハンドルアーム２１と対向する基端側、図３左側）に大径となるように一体成形された大径部３１ｂとを有している。筒状部３１ａの基端側内周面は、ボス部２６ｃの外周面に僅かな隙間をあけて対向している。大径部３１ｂの後端面は、外側部材３２の前端面に隙間をあけて対向しており、この隙間にカバー部材３３の前端部が挟み込まれて係止されている。また、筒状部３１ａの内周には、軸受３０ａ、３０ｂが装着されており、この軸受３０ａ、３０ｂによって把手軸２２に対して内側部材３１が回転自在となっている。
【００３１】
筒状部３１ａの後端部の開口は、有底筒状かつ硬質樹脂製の蓋部材３５により閉塞されている。蓋部材３５は、内側部材３１の筒状部３１ａ後端の内周部に装着される筒状の筒状部３５ａと、筒状部３５ａの後端側（ハンドルアーム２１と逆側の先端側、図３右側）に大径となるように一体成形された大径部３５ｂとを有している。蓋部材３５の大径部３５ｂの前端面は、内側部材３１及び外側部材３２の後端面に隙間をあけて対向しており、この隙間にカバー部材３３の後端部が挟み込まれて係止されている。また、筒状部３５ａは、前端部外周に径方向外方に突出する環状の係止部３５ｃが形成されており、内側部材３１の筒状部３１ａの後端内周部に凹んで形成された係止孔３１ｃに係止部３５ｃを係止することによって、蓋部材３５の筒状部３５ａを内側部材３１の筒状部３１ａに固定している。なお、蓋部材３５の筒状部３５ａの外径は、内側部材３１の筒状部３１ａの内径と略同一となるように形成されており、蓋部材３５の筒状部３５ａの前端部側外周に周方向に沿って形成された図示しない複数のスリットによって蓋部材３５の筒状部３５ａが内周部側に伸縮することによって、蓋部材３５の筒状部３５ａを内側部材３１の筒状部３１ａに装着することが可能である。蓋部材３５は、ハンドル把手２３を把手軸２２にボルト部材２８により装着した後、内側部材３１の筒状部３１ａの後端端に装着固定される。
【００３２】
外側部材３２は、成型時に金型内に内側部材３１を前述したようにインサートして得られる。このとき、外側部材３２の前端部は、内側部材３１の大径部３１ｂの後端面との間に隙間が形成され、外側部材３２の後端部は、内側部材３１の筒状部３１ａの後端部と面一になるようにインサート成形されている。外側部材３２は、図３から図５に示すように、第２回転軸Ｘ２方向の中心部分が狭まった形状であり、その対向する主面に第２回転軸Ｘ２方向に沿って滑らかに内側に湾曲したつまみ面が形成されている。つまみ面は、つまんだときに右手の手の指先にフィットするように変形矩形状に形成されている。
【００３３】
また、外側部材３２は、図３から図７に示すように、把手軸２２を挟んで両側に対称となるように一体で設けられた第１把手本体３２ａ及び第２把手本体３２ｂと、第１把手本体３２ａ及び第２把手本体３２ｂの連結部の外周面に沿って形成された第１係止部３２ｃ及び第２係止部３２ｄとを有している。
【００３４】
第１把手本体３２ａ及び第２把手本体３２ｂは、図３から図５に示すように、内周部が把手軸２２の外周側に回転自在に装着され、外周面が外方に露出するように把手軸２２を挟んで両側に両端部が連結可能に配置されている。第１把手本体３２ａ及び第２把手本体３２ｂは、図５に示すように、内側部材３１にインサート成形する際に一体的に形成されている。第１把手本体３２ａ及び第２把手本体３２ｂは、図３及び図４に示すように、切断方向によって厚みが異なる偏平形状となっており、また、把手軸２２を挟んで対称形状となっている。
【００３５】
第１係止部３２ｃ及び第２係止部３２ｄは、図３及び図４に示すように、第１把手本体３２ａと第２把手本体３２ｂとの間の連結部分外周に沿って形成され、カバー部材３３の側端部がそれぞれ嵌入可能に凹んで形成された溝部である。第１係止部３２ｃ及び第２係止部３２ｄは、図５に示すように、径方向外方に開口を有する断面略コ字状の溝部であって、把手軸２２を挟んで対称形状となっている。また、第１係止部３２ｃ及び第２係止部３２ｄは、第１把手本体３２ａ及び第２把手本体３２ｂの外形に沿って滑らかに湾曲しており、このため第１係止部３２ｃ及び第２係止部３２ｄの断面形状が同一、すなわち溝部の深さ（幅）が一定となっている。
【００３６】
カバー部材３３は、把手部３４の少なくとも外周面を被覆するものであって、２枚のシート状の皮革製部材から構成されている。また、カバー部材３３は、図３から図７に示すように、第１カバー本体３３ａ及び第２カバー本体３３ｂと、第１カバー本体３３ａの両端に設けられた第１被係止部３３ｃ及び第２被係止部３３ｄと、第２カバー本体３３ｂの両端に設けられた第３被係止部３３ｅ及び第４被係止部３３ｆとを有している。
【００３７】
第１カバー本体３３ａ及び第２カバー本体３３ｂは、第１把手本体３２ａ及び第２把手本体３２ｂの外周面をそれぞれ被覆する部材であって、別体で構成された２枚のシート状の皮革製部材である。第１カバー本体３３ａ及び第２カバー本体３３ｂは、２枚のシート状の皮革製部材であるので、シート状の皮革製部材を伸張して装着することにより、第１把手本体３２ａ及び第２把手本体３２ｂの外周面に完全にフィットするようになっている。第１カバー本体３３ａ及び第２カバー本体３３ｂの前端部にそれぞれ設けられた第１前端部３３ｇ及び第２前端部３３ｈは、図３及び図４に示すように、把手軸２２側内方に折れ曲がって内側部材３１の大径部３１ｂの後端面と外側部材３２の前端面との間の隙間に挟み込まれて接着固定されている。第１カバー本体３３ａ及び第２カバー本体３３ｂの後端部にそれぞれ設けられた第１後端部３３ｉ及び第２後端部３３ｊは、図３及び図４に示すように、把手軸２２側内方に折れ曲がって蓋部材３５の大径部３５ｂの前端面と内側部材３１及び外側部材３２の後端面との間の隙間に挟み込まれて接着固定されている。
【００３８】
第１被係止部３３ｃ及び第２被係止部３３ｄは、図３から図５に示すように、第１カバー本体３３ａの両端部に設けられている。第１被係止部３３ｃ及び第２被係止部３３ｄは、図５に示すように、外側部材３２の第１係止部３２ｃ及び第２係止部３２ｄにそれぞれ把手軸２２側内方に折れ曲がって係止される。また、第３被係止部３３ｅ及び第４被係止部３３ｆは、図３から図５に示すように、第２カバー本体３３ｂの両端部に設けられている。第３被係止部３３ｅ及び第４被係止部３３ｆは、図５に示すように、外側部材３２の第１係止部３２ｃ及び第２係止部３２ｄにそれぞれ把手軸２２側内方に折れ曲がって係止される。第１被係止部３３ｃ及び第３被係止部３３ｅは、接着剤によって第１係止部３２ｃに接着固定されている。また、第２被係止部３３ｄ及び第４被係止部３３ｆは、接着剤によって第２係止部３２ｄに接着固定されている。また、第１被係止部３３ｃ及び第３被係止部３３ｅと第２被係止部３３ｄ及び第４被係止部３３ｆとは、図６及び図７に示すように、それぞれ第１係止部３２ｃ及び第２係止部３２ｄに完全に埋設するように係止されているので（図５参照）、外部に露出する第１カバー本体３３ａ及び第２カバー本体３３ｂの連結部の形状は、把手軸２２の軸方向に沿った２本の直線状になっている。
【００３９】
このようなカバー部材３３を把手部３４に取り付けるには、まず、内側部材３１を外側部材３２にインサート成形することによって、内側部材３１と外側部材３２とを一体成形する。次に、第１カバー本体３３ａの第１被係止部３３ｃ及び第２被係止部３３ｄを、外側部材３２の第１係止部３２ｃ及び第２係止部３２ｄにそれぞれ把手軸２２側内方に折れ曲がって接着固定する。同様に、第２カバー本体３３ｂの第３被係止部３３ｅ及び第４被係止部３３ｆを、外側部材３２の第１係止部３２ｃ及び第２係止部３２ｄにそれぞれ把手軸２２側内方に折れ曲がって接着固定する。次に、第１カバー本体３３ａ及び第２カバー本体３３ｂの前端部にそれぞれ設けられた第１前端部３３ｇ及び第２前端部３３ｈを、内側部材３１の大径部３１ｂの後端面と外側部材３２の前端面との間の隙間に折れ曲がって接着固定する。最後に、第１カバー本体３３ａ及び第２カバー本体３３ｂの後端部にそれぞれ設けられた第１後端部３３ｉ及び第２後端部３３ｊを、内側部材３１及び外側部材３２の後端面に接着固定する。これにより、内側部材３１、外側部材３２及びカバー部材３３が一体となった状態で、カバー部材３３を把手部３４に装着される。
【００４０】
また、このような構成のハンドル把手２３を組み立てるには、まず、把手軸２２の雄ねじ部２２ａをアーム部２６の第１ねじ穴２６ｄに螺合することによって、把手軸２２をアーム部２６に固定する。次に、把手軸２２に軸受３０ａを装着した状態でカバー部材３３及び外側部材３２が一体となった内側部材３１を装着し、さらに把手軸２２に軸受３０ｂを装着する。そして、把手軸２２の第２ねじ穴２２ｂにボルト部材２８を装着することによって、内側部材３１が把手軸２２に対して回転自在に支持される。最後に、内側部材３１の筒状部３１ａ後端部を蓋部材３５によって閉塞し、カバー部材３３の第１後端部３３ｉ及び第２後端部３３ｊを内側部材３１及び外側部材３２の後端部とで挟持する。
【００４１】
このように構成されたハンドル組立体２では、ハンドルアーム２１のアーム部２６の両端に軸方向外方にのみ開口する第１ねじ穴２６ｄを形成し、第１ねじ穴２６ｄに把手軸２２を螺合させて固定しているので、アーム部２６の内側面に突出部がなくなり、この内側面に釣り糸が引っかかりにくくなり絡みにくくなる。また、座金２４をハンドル軸２０に固定し、その座金２４にアーム部２６を固定してハンドルアーム２１を構成しているので、アーム部２６の外側面も滑らかな形状にすることができ、外側面でも釣り糸が絡みにくくなる。しかも、座金２４をアーム部２６の収納凹部２６ｂに収納して内側面から突出しないようにしているので、アーム部２６の内側面の中心部での引っかかりも少なくなる。
【００４２】
また、皮革素材製のカバー部材３３を装着すると、ハンドル把手２３が、弾性体製の外側部材３２が露出したものより、自然な高級感があるものになる。しかも、皮革は木質素材に比べて丈夫で柔軟性があるため合成樹脂製のものと同様な耐久性も維持できる。次にリールの動作について説明する。
【００４３】
キャスティング時には、クラッチレバー１７によりクラッチ機構を離脱状態にしてスプール１２を自由回転状態にする。この状態で釣竿をキャスティングすると、ルアーの自重によりルアーが前方に飛行しスプール１２から釣り糸が繰り出される。このとき、バックラッシュ現象が発生すると糸ふけが生じ、釣り糸がリール本体１の後部から飛び出しハンドル組立体２に引っかかろうとする。しかし、前述したように、アーム部２６の内側面に突出部がないので釣り糸が引っかかりにくくなりアーム部２６に絡みにくくなる。
【００４４】
ルアーが着水すると、所定のタイミングでハンドル組立体２を僅かに巻き取り方向に回転させ、クラッチ機構を係合状態にする。するとスプール１２が繰り出し方向への回転が停止する。この状態でハンドル組立体２を回したり釣竿を上下動させてルアーを泳がせて当たりを待つ。魚がルアーに掛かるとハンドル組立体２を巻き取り方向に回転させて魚を取り込む。このようにハンドル組立体２を巻き取り方向に回転させても、把手軸２２が巻き取り方向と同方向のねじにより固定されているので、把手軸２２が緩みにくい。
【００４５】
また、ハンドル把手２３をつまんだときに表面に皮革素材製のカバー部材３３が装着されているので、触ったときの感触が良好でかつ滑りにくくなる。また、高級感がある外観を得ることもできる。
【００４６】
このようなハンドル把手２３では、２枚のシート状の皮革製部材からなる第１カバー本体３３ａ及び第２カバー本体３３ｂが、第１把手本体３２ａ及び第２把手本体３２ｂの外周面をそれぞれ被覆するようになっている。そして、第１被係止部３３ｃ及び第２被係止部３３ｄは、第１係止部３２ｃ及び第２係止部３２ｄにそれぞれ把手軸２２側内方に折れ曲がって係止され、第３被係止部３３ｅ及び第４被係止部３３ｆは、第１係止部３２ｃ及び第２係止部３２ｄにそれぞれ把手軸２２側内方に折れ曲がって係止される。
【００４７】
ここでは、２枚のシート状の皮革製部材からなる第１カバー本体３３ａ及び第２カバー本体３３ｂを用いて第１把手本体３２ａ及び第２把手本体３２ｂの外周面を被覆しているので、従来のようにカバー部材を縫製する製造工程が不要になるので、容易な工程で製造することができる。さらに従来のカバー部材の縫い合わせ部の厚みによって、外観の美観を損ねたり、把持したときに違和感を感じることがなくなる。さらに、第１カバー本体３３ａ及び第２カバー本体３３ｂは皮革製の部材により形成されているので、外観の美観を向上でき、高級感を演出することができる。
【００４８】
また、第１カバー本体３３ａ及び第２カバー本体３３ｂは、第１把手本体３２ａ及び第２把手本体３２ｂと連結部の外周面に沿って形成された第１係止部３２ｃ及び第２係止部３２ｄに内方に折れ曲がって係止されるので、第１把手本体３２ａ及び第２把手本体３２ｂとの係止構造が簡素になるとともに、外観の美観に影響を及ぼしにくくなる。
【００４９】
したがって、このような構成によって、外観の美観を高く維持しながら、容易な工程で製造することができる。
【００５０】
〔他の実施形態〕
（ａ）  前記実施形態では、両軸受リールを例にあげて説明したが、図１０に示すスピニングリールや、図１１に示す片軸受リール等の他形式の釣り用リールのハンドルつまみにも本発明を適用できる。また、ハンドルつまみは、ダブルハンドルのものに限定されず、シングルハンドルのものにも本発明を適用できる。
【００５１】
本発明の他の実施形態を採用したスピニングリールは、図１０に示すように、ハンドル組立体１０１と、ハンドル組立体１０１を回転自在に支持するリール本体１０２と、ロータ１０３と、図示しないスプールとを備えている。ハンドル組立体１０１は、リール本体１０２の両側部の一方側に交換可能に装着されている。ロータ１０３は、リール本体１０２の前部に回転自在に支持されている。スプールは、釣り糸を外周面に巻き取るものであり、ロータ１０３の前部に前後移動自在に配置されている。
【００５２】
ハンドル組立体１０１は、ハンドル軸１１０の先端に装着されるハンドルアーム１２１と、ハンドルアーム１２１の先端に装着されたハンドル把手１２３とを備えている。ハンドル把手１２３は、ハンドルアーム１２１の先端にかしめ固定された把手軸１２２に回転自在に装着されている。ハンドル把手１２３は、把手軸１２２に回転自在かつ軸方向移動不能に装着される把手部１３４と、把手部１３４の外周側を覆うように装着された皮革製かつシート状のカバー部材１３３とを有している。
【００５３】
なお、ハンドル把手１２３の構成は、前記実施形態の図番に１００を加えたものと同様であるので、詳細な説明は省略する。ここでは、スピニングリールのハンドル把手１２３においても、前記実施形態と同様に、外観の美観を高く維持しながら、容易な工程で製造することができる。
【００５４】
本発明の他の実施形態を採用した片軸受リールは、図１１に示すように、リール本体２０１と、リール本体２０１に片持ち支持されたスプール軸２０２と、スプール軸２０２に対して相対回転自在に配置され外周に釣り糸が巻かれるスプール２０３とを備えている。スプール２０３は、筒状の糸巻胴部２１５と、糸巻胴部２１５の一端部に糸巻胴部２１５と一体で形成された円板状の内フランジ２１６と、糸巻胴部２１５の他端部にリール本体２０１の開放部を覆うように装着された外フランジ２１７とを有している。外フランジ２１７の外面で外周近くにはハンドル把手２２３が取り付けられている。ハンドル把手２２３は、外フランジ２１７に立設された把手軸２２２に回転自在に装着されている。ハンドル把手２２３は、把手軸２２２に回転自在かつ軸方向移動不能に装着される把手部２３４と、把手部２３４の外周側を覆うように装着された皮革製かつシート状のカバー部材２３３とを有している。
【００５５】
なお、ハンドル把手２２３の構成は、前記実施形態の図番に２００を加えたものと同様であるので、詳細な説明は省略する。ここでは、片軸受リールのハンドル把手１２３においても、前記実施形態と同様に、外観の美観を高く維持しながら、容易な工程で製造することができる。
【００５６】
（ｂ）  前記実施形態では、第１把手本体３２ａ及び第２把手本体３２ｂは、一体成形されていたが、図８及び図９に示すように、第１把手本体３２ａ及び第２把手本体３２ｂとを別体で設ける構成にしてもよい。
【００５７】
第１把手本体３２ａ及び第２把手本体３２ｂは、互いに鏡像となる略半円筒状部材である。第１係止部３２ｃ及び第２係止部３２ｄは、第１把手本体３２ａと第２把手本体３２ｂとの合わせ面に凹んで形成された溝部である。第１カバー本体３３ａ及び第２カバー本体３３ｂが第１係止部３２ｃ及び第２係止部３２ｄに内方に折れ曲がって係止される。ここでは、前記実施形態と同様に、外観の美観を高く維持しながら、容易な工程で製造することができる。
【００５８】
なお、図８及び図９では、第１係止部３２ｃ及び第２係止部３２ｄは、第１把手本体３２ａと第２把手本体３２ｂとの合わせ面に凹んで形成された溝部であったが、このような溝部を形成しないで、第１把手本体３２ａと第２把手本体３２ｂとの合わせ面で直接第１カバー本体３３ａ及び第２カバー本体３３ｂを挟み込むようにしてもよい。
【００５９】
（ｃ）  前記実施形態では、カバー部材３３は、皮革製部材により形成されていたが、材質はこれに限定されるものではなく、たとえばクロロプレンゴム等の弾性樹脂製の部材によってカバー部材３３を形成してもよい。また、カバー部材３３の固定方法は、接着剤による固定に限定されず、たとえばカバー部材３３を圧入嵌合したり、蓋部材３５で挟持するのみの構成であってもよい。
【００６０】
（ｄ）  前記実施形態では、把手部３４は、内側部材３１と外側部材３２とを別体で構成したが、内側部材３１と外側部材３２とを一体成形する構成にしてもよい。また、内側部材３１及び外側部材３２の材質や形成方法は、これらに限定されるものではなく、任意に設定できる。
【００６１】
（ｅ）  前記実施形態では、蓋部材３５は、筒状部３５ａに形成された係止部３５ｃを筒状部３１ａに形成された係止孔３１ｃに係止することによって内側部材３１に固定していたが、筒状部３５ａに形成された雄ねじ部を筒状部３１ａに形成された雌ねじ部を螺合して固定するようにしてもよい。また、蓋部材３５の大径部３５ｂは、内側部材３１及び外側部材３２の後端面の両方に対向するようになっていたが、内側部材３１及び外側部材３２の後端面の一方と対向する構成にしてもよい。
【００６２】
（ｆ）  前記実施形態では、内側部材３１の筒状部３１ａ後端部を蓋部材３５によって閉塞し、カバー部材３３の第１後端部３３ｉ及び第２後端部３３ｊを内側部材３１及び外側部材３２の後端部とで挟持していたが、図１２に示すように、内側部材３１の筒状部３１ａ後端部を蓋部材３５によって閉塞し、蓋部材３５の前端部を内側部材３１及び外側部材３２の後端部に接触させた後に、蓋部材３５の後端部の全部または少なくとも一部をカバー部材３３の第１後端部３３ｉ及び第２後端部３３ｊで被覆する構成にしてもよい。
【図面の簡単な説明】
【００６３】
【図１】本発明の一実施形態を採用した両軸受リールの斜視図。
【図２】前記両軸受リールの平面一部破断図。
【図３】ハンドル組立体の断面拡大図。
【図４】図３のＩＶ−ＩＶ断面図。
【図５】図３のＶ−Ｖ断面図。
【図６】図３の位置を視点としたときの平面図。
【図７】図４の位置を視点としたときの平面図。
【図８】他の実施形態の図４に相当する図。
【図９】他の実施形態の図５に相当する図。
【図１０】本発明の他の実施形態を採用したスピニングリールの断面図。
【図１１】本発明の他の実施形態を採用した片軸受リールの断面図。
【図１２】他の実施形態の図４に相当する図。
【符号の説明】
【００６４】
１  リール本体
２１  ハンドルアーム
２２  把手軸
２３  ハンドル把手
３１  内側部材
３１ａ  筒状部
３１ｂ  大径部
３１ｃ  係止孔
３２  外側部材
３２ａ  第１把手本体部
３２ｂ  第２把手本体部
３２ｃ  第１係止部
３２ｄ  第２係止部
３３  カバー部材
３３ａ  第１カバー本体
３３ｂ  第２カバー本体
３３ｃ  第１被係止部
３３ｄ  第２被係止部
３３ｅ  第３被係止部
３３ｆ  第４被係止部
３３ｇ  第１前端部
３３ｈ  第２前端部
３３ｉ  第１後端部
３３ｊ  第２後端部
３４  把手部
３５  蓋部材
３５ａ  筒状部
３５ｂ  大径部
３５ｃ  係止部
【図１】
2006304688.tif 000003
【図２】
2006304688.tif 000004
【図３】
2006304688.tif 000005
【図４】
2006304688.tif 000006
【図５】
2006304688.tif 000007
【図６】
2006304688.tif 000008
【図７】
2006304688.tif 000009
【図８】
2006304688.tif 000010
【図９】
2006304688.tif 000011
【図１０】
2006304688.tif 000012
【図１１】
2006304688.tif 000013
【図１２】
2006304688.tif 000014